(57)【要約】【課題】  製造および組立てが簡略である５．１チャンネルフォンジャックを提供する。【解決手段】  ジャック本体は、軸方向に差込孔４１を有し、差込孔４１の深さがフォンプラグの長さに合うように設けられ、上段部に多数個の配列する貫通溝４２を有し、各貫通溝４２に向い合う一側に第一側係止溝組を有する。少なくとも６つの伝導片５０は、クリップ状に折り曲げられ、弾性接触部および固定部から構成され、固定部が係止溝に嵌合され、弾性接触部が軸方向の差込孔４１の上端を跨るように貫通溝４２に装着される。アース端子６０は、ジャック本体の前端に嵌合され、ジャック本体の前端部に装着されて差込孔４１の側縁に露出する弾性接触部６１と、ジャック本体の凹状溝に嵌合される固定部６２とを有する。端部蓋７０は、ジャック本体の前端部に被せられる。【選択図】    図４
2006067245.tif 000002
【特許請求の範囲】
【請求項１】
軸方向に差込孔を有し、差込孔の深さがフォンプラグの長さに合うように設けられ、ジャック本体の上段部には多数個の配列する貫通溝を有し、各貫通溝に向い合う一側には第一側係止溝組を有するジャック本体と、
クリップ状に折り曲げられ、弾性接触部および固定部から構成され、固定部が係止溝に嵌合され、弾性接触部が軸方向の差込孔の上端を跨るように貫通溝に装着される少なくとも６つの伝導片と、
ジャック本体の前端に嵌合され、ジャック本体の前端部に装着されて軸方向の差込孔の側縁に露出する弾性接触部と、ジャック本体の凹状溝に嵌合される固定部とを有するアース端子と、
ジャック本体の前端部に被せられる端部蓋と、
を備える５．１チャンネルフォンジャック。
【請求項２】
クリップ状伝導片の弾性接触部は、軸方向の差込孔を跨って一組の対応する出力端子片の上方に接続され、出力端子片は逆Ｌ型を呈し、その水平部が接触端に、直立部がジャック本体の第一側係止溝組に対応する第二側係止溝組の中に嵌合される固定端であることを特徴とする請求項１に記載の５．１チャンネルフォンジャック。
【請求項３】
フォンプラグが軸方向の差込孔に挿入される場合、伝導片の弾性接触部は跳ね上がって端子片から分離することを特徴とする請求項２に記載の５．１チャンネルフォンジャック。
【請求項４】
ジャック本体は、後端に感知伝導片およびそれに対応する端子片を有することを特徴とする請求項１に記載の５．１チャンネルフォンジャック。
【請求項５】
伝導片、端子片およびアース端子は、その底端がジャック本体に突出している延伸部であることを特徴とする請求項１に記載の５．１チャンネルフォンジャック。
【請求項６】
ジャック本体の外部に絶縁被覆が被せられることで、接続用フォンジャックの形態を構成することを特徴とする請求項１に記載の５．１チャンネルフォンジャック。
【発明の詳細な説明】
【技術分野】
【０００１】
本発明は、５．１チャンネルイヤフォン接続用フォンジャック（Phone  Jacks）に関し、特に、多チャンネルフォンプラグ（Phone  Plugs）に対応するように設けられる構造に関するものである。
【背景技術】
【０００２】
一般のフォンプラグ（Phone  Plugs）は、図１に示す通り、柱状端子１０がアナログ信号出力のフォンジャック（Phone  Jacks）２０に挿入され、その中の伝導片２１および伝導片２２に電気的接続される。そして、図２に示すように、音声信号は、音声信号導線１４を経由して終端のスピーカー、例えば、市販のイヤフォンに出力される。したがって、フォンプラグ１０が音声信号に接続するにあたって、操作および使用の点で便利である。
【０００３】
しかし、市販のフォンプラグ１０は、電極が少ないため、せいぜい二つの音声信号、即ち、左チャネル１１、右チャンネル１２およびアース１３を出力し、いわゆる立体ステレオ（STEREO）の効果を構成するものであるため、市販のステレオ用イヤフォンにより、２チャンネルの効果を得るのみである。
【０００４】
また、デジタル技術の進歩に伴い、ＤＶＤプレイヤーまたはサラウンドアンプなどのデジタル映像音声関連装置は普及し、基本的に、Dolby  DigitalまたはＤＴＳコード解読などの機能を搭載するため、デジタル信号を解読し、アナログ信号をスピーカーに出力して音を出すことができ、そして、ＤＶＤプレイヤーまたはサラウンドアンプの背面パネルに搭載される５．１ＣＨ  ＡＵＤＩＯ  ＯＵＴ信号のアナログ出力端子により、「テレビ＋ＤＶＤプレイヤー＋サラウンドアンプ＋５．１ＣＨスピーカー」をホーム映画館の基本的な視聴環境に構成することができる。
【０００５】
しかし、前述の多チャンネルは、多数個の出力端子および音声信号導線を使用しないと、前方主チャンネル（Front）、中央チャンネル（Center）、後方サラウンドチャンネル（surround）および重低音スピーカーに接続できないため、ＤＶＤプレイヤーまたはサラウンドアンプの背面パネルに搭載されるＡＵＤＩＯ  ＯＵＴに６つ以上のプラグおよび音声信号導線を接続することにより、音声信号を各スピーカーに出力して音を出すが、背面パネルにおけるコードが複雑になり、操作が不便になる。
【０００６】
また、５．１チャンネルまたは多チャンネル出力は、極めて高い音響品質を視聴者に提供するものであるが、視聴場所にいる別の作業をしている人や音楽を聞いていない人には迷惑なものとなる。また、イヤフォンをかけて多チャンネルサラウンド音響効果を楽しむ場合、イヤフォンのフォンプラグ１０は僅かの左右の２チャンネルによる立体ステレオ音響効果しか提供できないため、多チャンネル音響を楽しむことができない。
【０００７】
前述の問題に対し、本発明者により掲示された多チャンネルフォンプラグ構造（Multichannel  phone  plug）は、図４に示すように、単一独立フォンプラグ３０により、５つまたは６つの音声信号を出力可能である（特許文献１または特許文献２参照）。多チャンネルフォンプラグ３０は、円弧状ヘッド部３１と、第一嵌合管部３２と、第二嵌合管部３３と、第三嵌合管部３４と、第四嵌合管部３５と、第五嵌合管部３６と、アース嵌合リング３７から構成される５．１チャンネル用フォンプラグ３０であるが、既に多くの国の特許権を取得し、本発明の請求範囲ではないため、詳しい説明を省く。
【０００８】
【特許文献１】台湾特許第217782号
【特許文献１】米国特許第6,394,852号明細書
【発明の開示】
【発明が解決しようとする課題】
【０００９】
前述のフォンプラグ３０は、５．１チャンネルの信号を出力可能であるが、良好なフォンジャック（Phone  Jack）と組合わされないと、出力効果が低下する。例えば、図２に示すようなフォンジャック２０は、内部に長さが異なる伝導片２１および伝導片２２しかないため、５．１チャンネルフォンプラグ３０に適用できない。かつ５．１チャンネルフォンプラグ３０の多チャンネルに対応するため、フォンジャック２０に伝導片の数量を増加することは、フォンジャック全体の内部の伝導片の配置という問題に関わり、図２に示すような周知方法で６つまたは７つの長さが異なる伝導片をフォンジャック２０内に配置する場合、手間がかなりかかり、別に固定蓋または位置決めユニットを装着する必要があり、空間上の配置が困難であり、適切に配置しないと、５．１チャンネルの音響効果に影響を与える。
従って、周知のフォンジャックが最新の５．１チャンネルフォンプラグに適用できないことに対し、解決方法を提供することが本発明の課題である。
【課題を解決するための手段】
【００１０】
本発明の一態様は、ジャック本体に多数個の配列する貫通溝を有することで、多数個の伝導片を跨らせるように配置することを可能にし、かつ伝導片の形が同じであるため、製造および組立てを簡略にする効果を増進可能である５．１チャンネルフォンジャックを提供する。
【００１１】
本発明のもう一つの態様は、伝導片がクリップ状の弾性体を呈し、横部の弾性端が貫通溝に装着され、かつジャックの軸方向の差込孔に深く挿入され、直立の固定部がジャック本体の一側の係止溝に挿入および固定されることで、各伝導片が絶縁されたジャック本体に装着された後も、別の固定ユニットを使うことを必要とせず、組立てが完成し、かつ各伝導片の形を同じにし、接触フォンプラグの弾性端の電気的接続を安定させることで、比較的よい５．１チャンネルの音声信号出力を得る。
【００１２】
本発明のまたもう一つの態様は、ジャック本体の各伝導片の向かい合う他側に多数個の端子を配置し、端子と伝導片をフォンプラグの末端からフォンジャックに挿入する場合、互いに接続して伝導する状態を呈することで、音声信号を各端子を経由してスピーカーに出力することを可能にし、また、フォンプラグをフォンジャックに挿入する場合、対応する端子と伝導片が分離し、アース端子とフォンプラグを互いに接続するだけで、伝導片により入力される音声信号をフォンプラグから出力することを可能にする。
【００１３】
本発明のさらにもう一つの態様は、５．１チャンネルフォンプラグをジャックに挿入する場合、ジャック本体に装着される感知伝導片により、信号を音声制御装置に伝送し、出力される５．１チャンネル信号を自動調整することで、フォンプラグの他端に接続されるイヤフォンに適当な音量および音声効果を提供することを可能にする。
【００１４】
上述の技術手段により、本発明は、５．１チャンネルプラグに提供可能な安定性および音声出力効果に優れたフォンジャックであり、かつ構造全体の配置および体積が適切であるため、ステレオに適用するほかに、接続ジャックまたは継続接続用ジャックに形成し、５．１チャンネルプラグの延伸接続ユニットとして使用してもよい。
【発明を実施するための最良の形態】
【００１５】
図３および図４に示すように、本発明の一実施例による５．１チャンネルフォンジャックは、ジャック本体と、少なくとも６つの伝導片と、アース端子と、端部蓋とを備える。
ジャック本体４０は、軸方向に差込孔４１を有し、差込孔４１は深さがフォンプラグ３０の長さに合うように設けられ、ジャック本体４０の上段部には多数個の配列する貫通溝４２を有し、かつ各貫通溝４２に向い合う一側には第一側係止溝組４３を有する。
【００１６】
伝導片５０は、クリップ状に折り曲げられ、かつ弾性接触部５１および固定部５２から構成され、そのうちの固定部５２が係止溝４３に嵌合され、弾性接触部５１が軸方向の差込孔４１の上端を跨るように貫通溝４２に装着される。
【００１７】
アース端子６０は、ジャック本体４０の前端に嵌合され、かつジャック本体４０の前端部４１１に装着され、軸方向の差込孔４１の側縁に露出する弾性接触部６１と、ジャック本体４０の凹状溝４４に嵌合される固定部６２とを有する。
端部蓋７０は、ジャック本体４０の前端部４１１に被せられる。
【００１８】
上述の構成により、各伝導片５０は自動化機具により所定の係止溝４３に挿入され、かつジャック本体４０に固定され、弾性接触部５１は図８に示すように軸方向の差込孔４１の上端を跨るように貫通溝４２に装着されるため、装着が簡略になり、別の固定ユニットを使う必要がない。かつ伝導片５０の弾性接触部５１の形は軸方向の差込孔４１の位置に対応するため、フォンプラグ３０が図５に示すように完成品のフォンジャック９０Ａに挿入されている場合、伝導片５０とフォンプラグ３０は均一に接触し、かつその電気的接続が安定する。
【００１９】
図３および図４に示すように、本実施例のもう一つの特徴は、下記の通りである。クリップ状伝導片５０の弾性接触部５１は軸方向の差込孔４１を跨ってその末端を一組の対応する出力端子片８０の上方に位置付け、そして、出力端子片８０は逆Ｌ型を呈し、その水平部が接触端８１に、直立部がジャック本体４０の第一側係止溝組４３に対応する第二側係止溝組４５の中に嵌合される固定端８２である。したがって、図６と図８に示すように、伝導片５０の弾性接触部５１は、フォンプラグ３０が軸方向の差込孔４１に挿入されていない場合、弾性力により端子片８０の水平接触部８１に接触し、接続伝導の状態を呈する。つまり、多チャンネル音声信号は、各伝導片５０により入力された後、各端子片８０により、ほかのスピーカー（図中未表示）に出力されるものである。
【００２０】
図７と図９に示すように、フォンプラグ３０が軸方向の差込孔４１に挿入されている場合、各伝導片５０の弾性接触部５１は、跳ね上がって、円弧状ヘッド部３１と、第一嵌合管部３２と、第二嵌合管部３３と、第三嵌合管部３４と、第四嵌合管部３５と、第五嵌合管部３６に対応するように接続する。このとき、図９に示すように、各伝導片５０は端子片８０と分離状態を呈し、アース端子６０がフォンプラグ３０に接触するのみである。図７と図１０に示すように、アース端子６０の接触部６１がフォンプラグ３０のアース嵌合リング３７に接触している場合、音声信号全体を入力する各伝導片５０とアース端子６０は多極的な電気的接触を呈し、５．１チャンネルの信号をフォンプラグ３０から多チャンネルイヤフォン（図中未表示）に出力可能である。
【００２１】
本実施例の各伝導片５０は、跨る接続方法でジャックの貫通溝４２の上に装着され、フォンプラグ３０上の各電極に垂直に接触する形態を呈する。６つの伝導片５０は、所要の空間があまり大きくなく、かつジャック本体４０内にしっかり配列される。したがって、ジャック本体４０の後端に感知伝導片５０Ａおよびそれに対応する端子片８０Ａを増設することが可能である。図６と図７に示すように、感知伝導片５０Ａは前述の各伝導片５０の形に相当する。フォンプラグ３０が軸方向の差込孔４１に完全に挿入され、伝導される場合、感知伝導片５０Ａは跳ね上がって対応する端子片８０Ａに接触していない状態を呈し、この時、感知伝導片５０Ａおよび対応する端子片８０Ａに接続される音声制御装置（図中未表示）はフォンプラグ３０の挿入された信号を受けた後、出力信号を自動調整することが可能である。例えば、音量を小さくすることでイヤフォンを使用する場合、音声があまり大きくて不快な感じが発生することを防止可能である。また、音声制御装置は本発明の主張範囲ではないため、詳しい説明を省く。それに対して、注目すべきなのは、本実施例による５．１チャンネルフォンジャック９０Ａは、５．１チャネルのフォンプラグ３０に対応する接触信号を提供でき、かつ体積があまり大きくなく、さらに、感知伝導片５０Ａが増設されることで、多機能を同時に果たすことを可能にするということである。
【００２２】
図８と図９に示すように、前述の感知伝導片５０Ａを有する伝導片５０、アース端子６０および対応する端子片８０Ａを有する端子片８０は、その底端がジャック本体４０に突出している延伸部５２１、延伸部６２１および延伸部８２１であるため、延伸部５２１、延伸部６２１および延伸部８２１により、ジャック全体とステレオ内部の回路板（図中未表示）を接合することを可能にするか、はんだ付けにより各信号導電（図中未表示）に接続し、装着を簡略にすることを可能にする。
【００２３】
本実施例は、体積があまり大きくないため、前述のフォンジャック９０Ａに構成することで、５．１チャンネルの出力としてステレオの背面に装着することが可能であるほかに、図１１に示すように、ジャック本体の外部に絶縁板９１を被せ、接続または継続接続用フォンジャック９０Ｂを構成することで、５．１チャンネルの延伸接続または継続接続に使用することも可能である。また、各伝導片および貫通溝の構造は形が少々変わっているが、前述のものとほぼ同じであるため、詳しい説明を省く。
【００２４】
したがって、５．１チャンネルフォンプラグ３０に適用可能な５．１チャンネルジャック９０Ａまたは５．１チャンネルジャック９０Ｂを提供することで、多チャンネルイヤフォンは、出力用ジャックまたはプラグを使用することなく、フォンジャック４０およびフォンプラグ３０だけで、原音再現という５．１チャンネルの音声効果を得ることが可能である。
【図面の簡単な説明】
【００２５】
【図１】従来のイヤフォンのプラグを示す側面図である。
【図２】従来のイヤフォンのプラグを示す側面図である。
【図３】本発明の一実施例による５．１チャンネルフォンジャックを示す分解斜視図である。
【図３Ａ】図３の背面の係止溝を示す斜視図である。
【図４】本発明の一実施例による５．１チャンネルフォンジャックのプラグが挿入される前の状態を示す斜視図である。
【図５】本発明の一実施例による５．１チャンネルフォンジャックのプラグが挿入されている状態を示す斜視図である。
【図６】本発明の一実施例による５．１チャンネルフォンジャックを示す側面図である。
【図７】図５を７−７線で切断した断面図である。
【図８】図６を８−８線で切断した断面図である。
【図９】図７を９−９線で切断した断面図である。
【図１０】図７を１０−１０線で切断した断面図である。
【図１１】本発明の一実施例による５．１チャンネルフォンジャックの接続用フォンジャックを示す斜視図である。
【符号の説明】
【００２６】
４０  ジャック本体、４１  差込孔、４２  貫通溝、４３  第一側係止溝組、４４  凹状溝、４５  第二側係止溝組、５０  伝導片、５０Ａ  感知伝導片、５１  弾性接触部、５２  固定部、６０  アース端子、６１  接触部、６２  固定部、７０  端部蓋、８０  端子片、８０Ａ  端子片、９０Ａ  フォンジャック、９０Ｂ  フォンジャック、９１  絶縁被覆、５２１  延伸部、６２１  延伸部
【図１】
2006067245.tif 000003
【図２】
2006067245.tif 000004
【図３】
2006067245.tif 000005
【図３Ａ】
2006067245.tif 000006
【図４】
2006067245.tif 000007
【図５】
2006067245.tif 000008
【図６】
2006067245.tif 000009
【図７】
2006067245.tif 000010
【図８】
2006067245.tif 000011
【図９】
2006067245.tif 000012
【図１０】
2006067245.tif 000013
【図１１】
2006067245.tif 000014